(57)【要約】【課題】コンソールリッドの開閉操作時に回動とスライド移動とが同時に発現されて操作性が向上すると共に、開放時に見栄えが悪くならないようにしたコンソールリッドの開閉構造を提供する。【解決手段】コンソール本体１０に対し回動機構４０を介して回動可能に配設されるベース部材２１と、ベース部材２１に対しスライド機構４４を介してスライド移動可能に配設されたスライド部材３０とを備えるコンソールリッド２０を、コンソール本体１０の上部に配設して、コンソール本体１０に画成した物品収納部１３を開閉し得るよう構成する。そして、回動機構４０に、コンソール本体１０に対するコンソールリッド２０の開放および閉成の各動作に連動する第１回転円盤５１を配設すると共に、スライド機構４４に、第１回転円盤４４の動作に連動してベース部材２１に対してスライド部材３０がスライド移動するよう作動する第２回転円盤５２を配設した。【選択図】図１
2008247338.tif 000002
【特許請求の範囲】
【請求項１】
コンソール本体の上部に配設され、前記コンソール本体に画成した物品収納部を開閉するコンソールリッドの開閉構造であって、
前記コンソールリッドは、前記コンソール本体に対し回動機構を介して回動可能に配設されるベース部材と、前記ベース部材に対しスライド機構を介してスライド移動可能に配設されたスライド部材とからなり、
前記回動機構に、前記コンソール本体に対する前記コンソールリッドの開放および閉成の各動作に連動する第１連係部材が配設され、前記スライド機構に、前記第１連係部材の動作に連動して前記ベース部材に対してスライド部材がスライド移動するよう作動する第２連係部材を配設した
ことを特徴とするコンソールリッドの開閉構造。
【請求項２】
前記第１連係部材および第２連係部材は、第１ワイヤおよび第２ワイヤにより連係される回転体である請求項１記載のコンソールリッドの開閉構造。
【請求項３】
前記スライド機構は、前記ベース部材に回転自在に配設されたピニオンギアと、前記スライド部材に配設されて前記ピニオンギアに噛合するラックギアとからなる請求項１または２記載のコンソールリッドの開閉構造。
【発明の詳細な説明】
【技術分野】
【０００１】
本発明は、コンソールリッドの開閉構造に関し、更に詳細には、コンソール本体の上部に配設され、前記コンソール本体に画成した物品収納部を開閉するコンソールリッドの開閉構造に関するものである。
【背景技術】
【０００２】
セダンタイプやステーションワゴンタイプ等の自動車の多くには、車内における前部座席間(運転席と助手席との間)のフロアに、フロアコンソールが設置されている。このフロアコンソールは、インジェクション成形部材である合成樹脂製のコンソール本体を主体とし、このコンソール本体には上方へ開口する物品収納部が設けられており、物品を出し入れ可能に収納し得るようになっている。そして、コンソール本体の上部には、物品収納部の上部開口部を開閉するコンソールリッドが配設されており、このコンソールリッドを姿勢変位させることで物品収納部の上部開口部を開閉することができる。
【０００３】
コンソールリッドの開閉構造については、様々な形態が提案されると共に実用化されており、(ａ)回動タイプ、(ｂ)スライドタイプ、(ｃ)回動スライドタイプ等が実用化されている。(ａ)の回動タイプは、例えばヒンジ部材等からなる回動機構により、コンソールリッドをコンソール本体に回動可能に配設した開閉構造である。(ｂ)のスライドタイプは、ガイドピンおよびガイドレール等からなるスライド機構により、コンソールリッドがコンソール本体に対してスライド移動可能に配設された開閉構造である。(ｃ)の回動スライドタイプは、前述した回動機構およびスライド機構の両方を具備し、コンソールリッドがコンソール本体に対して回動およびスライド移動可能に配設された開閉構造である。この回動スライドタイプの開閉構造を備えたフロアコンソールは、例えば特許文献１に開示されている。
【特許文献１】特開２００６−１５１２９３号公報
【発明の開示】
【発明が解決しようとする課題】
【０００４】
ところで、特許文献１に開示のコンソールリッドの開閉構造では、蓋体(コンソールリッド)を全閉位置から全開位置へ開放させる場合は、先ず蓋体を後方へ略水平にスライド移動させ、次いで該蓋体を後方へ回動するよう構成されている。また、蓋体を全開位置から全閉位置へ閉成させる場合は、先ず蓋体を傾斜状態から水平状態まで回動させ、次いで該蓋体を前方へスライド移動することで行なわれる。すなわち、蓋体の開放操作および閉成操作は、何れもスライド移動と回動との２アクションの動作により実現されるようになっており、蓋体の開閉操作をスムーズを行ない得るとは云えない。
【０００５】
また、蓋体のスムーズな開閉動作を補助するため、ボックス本体(コンソール本体)にガイド溝を設けると共に、蓋体の底面には、ガイド溝に係合するガイドピンが配設されたガイドアームが延出している。このため、蓋体を全開位置に開放させた際には、これらガイド溝およびガイドアームが外方へ露出してしまい、見栄えがよくない等の欠点も指摘できる。
【０００６】
そこで本発明では、前述した従来の技術に内在している課題に鑑み、これを好適に解決するべく提案されたものであって、コンソールリッドの開閉操作時に回動とスライド移動とが同時に発現されて操作性が向上すると共に、開放時に見栄えが悪くならないようにしたコンソールリッドの開閉構造を提供することを目的とする。
【課題を解決するための手段】
【０００７】
前記課題を解決し、所期の目的を達成するため、請求項１に記載の発明は、コンソール本体の上部に配設され、前記コンソール本体に画成した物品収納部を開閉するコンソールリッドの開閉構造であって、
前記コンソールリッドは、前記コンソール本体に対し回動機構を介して回動可能に配設されるベース部材と、前記ベース部材に対しスライド機構を介してスライド移動可能に配設されたスライド部材とからなり、
前記回動機構に、前記コンソール本体に対する前記コンソールリッドの開放および閉成の各動作に連動する第１連係部材が配設され、前記スライド機構に、前記第１連係部材の動作に連動して前記ベース部材に対してスライド部材がスライド移動するよう作動する第２連係部材を配設したことを要旨とする。
【０００８】
従って、請求項１に係る発明によれば、回動機構とスライド機構とが連係部材により連係されているので、コンソールリッドの開放操作時および閉成操作時には、回動とスライド移動とが連動して同時に発現されるため、１アクションの動作によりコンソールリッドの開閉操作をスムーズに行ない得る。
【０００９】
請求項２に記載の発明は、前記第１連係部材および第２連係部材は、第１ワイヤおよび第２ワイヤにより連係される回転体であることを要旨とする。
従って、請求項２に係る発明によれば、回動機構とスライド機構とが、第１ワイヤおよび第２ワイヤと、第１回転体および第２回転体とからなるシンプルな構成で連係されるため、製造コストが嵩むことを防止できると共に重量増加が殆どない。
【００１０】
請求項３に記載の発明は、前記スライド機構は、前記ベース部材に回転自在に配設されたピニオンギアと、前記スライド部材に配設されて前記ピニオンギアに噛合するラックギアとからなることを要旨とする。
従って、請求項３に係る発明によれば、ピニオンギアを回転させることでスライド部材を確実にスライド移動させると共に、該ピニオンギアを停止させることで該スライド部材を停止保持させ得る。
【発明の効果】
【００１１】
本発明に係るコンソールリッドの開閉構造によれば、コンソールリッドの開閉操作時に回動とスライド移動とが同時に発現されて操作性が向上すると共に、開放時に見栄えが悪くなることを防止し得る。
【発明を実施するための最良の形態】
【００１２】
次に、本発明に係るコンソールリッドの開閉構造につき、好適な実施例を挙げて、添付図面を参照しながら以下説明する。実施例では、車両乗員室内のフロアに設置させるフロアコンソールに、コンソールリッドの開閉構造を実施した場合について説明する。なお実施例では、図１の左右方向が車両の前後方向であるので、これに合わせて図１の左右方向をフロアコンソールの前後方向(左方向が前側)とし、この前後方向に対して交差する方向(図２の左右方向)を、コンソールリッドの左右方向(左方向が左側)とする。
【実施例】
【００１３】
図１は、実施例に係るコンソールリッドの開閉構造を備えたフロアコンソールを、コンソールリッドを全閉位置に保持した状態で一部破断して示した部分側面図である。実施例のフロアコンソールＦＣは、上方に開口する物品収納部１３を画成したコンソール本体１０と、該コンソール本体１０の上部に配設され、物品収納部１３の上部開口部１３Ａを開閉するよう配設されたコンソールリッド２０とを備えている。コンソールリッド２０は、物品収納部１３の上部開口部１３Ａを全面的に閉成する全閉位置(図１)と、上部開口部１３Ａを全面的に開放する全開位置(図７)とに姿勢変位するよう構成されている。
【００１４】
コンソール本体１０は、例えばポリプロピレン(ＰＰ)等の合成樹脂素材からインジェクション成形された合成樹脂製の成形部材であって、図１に示すように、外部意匠面を形成するアウター部材１１と、このアウター部材１１の内部後側部分に収容設置されて前述した物品収納部１３を形成したインナー部材１２とを有する。そして、コンソール本体１０の図示省略した前側部分は、チェンジレバーやドリンクホルダ等の配設部位とされ、前端部分が図示しないインストルメントパネルの中央下部に連結される。また、物品収納部１３の上部開口部１３Ａの周囲が、全閉位置に臨んだコンソールリッド２０のリッド載置面１４となる。なお、インナー部材１２の開口部が、前述した上部開口部１３Ａとなる。また、インナー部材１２の後方支持部１５が、コンソールリッド２０を枢支するリッド枢支軸４１が貫通して固定される支持部として機能する。
【００１５】
コンソールリッド２０は、図１〜図４に示すように、前述したリッド載置面１４に整合して、物品収納部１３の上部開口部１３Ａを全閉し得る形状・サイズとされる。このコンソールリッド２０は、コンソール本体１０に対して回動可能に支持されるトレー状のベース部材２１と、このベース部材２１に対してスライド移動可能に支持されるスライド部材３０とから構成される。
【００１６】
ベース部材２１は、ポリプロピレン(ＰＰ)等の合成樹脂素材からインジェクション成形された矩形板状の成形部材であり、コンソールリッド２０の真上から見た場合の該ベース部材２１の大きさは、スライド部材３０の約半分程度となっている。そして、ベース部材２１の左側端および右側端には、スライド部材３０に設けた後述のガイドレール３４,３４が整合するガイド溝２２,２２が、前後方向に延在するように形成されている。また、ベース部材２１における左右両端の後方側には、湾曲した円弧状の第１支持アーム２３および第２支持アーム２４が、後方かつ下方へ延出した状態に形成されている。これら第１支持アーム２３および第２支持アーム２４は、後述する回動機構４０の構成部材をなすようになっている。
【００１７】
ベース部材２１は、回動機構４０を介して、コンソール本体１０の後側部分に対して回動可能に配設されている。この回動機構４０は、前述した第１支持アーム２３および第２支持アーム２４と、コンソール本体１０におけるインナー部材１２の後方支持部１５に挿通された状態で固定されるリッド枢支軸４１とから構成される。各々の支持アーム２３,２４の延出端部には、リッド枢支軸４１の挿通を許容する挿通孔２３Ａ,２４Ａが形成されている。そしてベース部材２１は、コンソール本体１０に固定されたリッド枢支軸４１を第１支持アーム２３および第２支持アーム２４の挿通孔２３Ａ,２４Ａに貫通させることで、コンソール本体１０に対して回動可能に枢支されている。これによりベース部材２１は、コンソール本体１０のリッド載置面１４に近接した全閉位置(図１)と、約５０度の前上がり傾斜状態となった全開位置(図７)との間で回動可能となっている。なお、ベース部材２１の右端後方側に設けられた第１支持アーム２３の延出端部には、後述する連係機構５０の回転体としての第１回転円盤５１(第１連繋部材)を固定する取付部２５が形成されている。
【００１８】
スライド部材３０は、ポリプロピレン(ＰＰ)等の合成樹脂素材からインジェクション成形され、リッド載置面１４に整合して物品収納部１３の上部開口部１３Ａを全面的に覆蓋する大きさに形成された逆トレー状の部材本体３１を主体としている。この部材本体３１の外面(上面)には、ウレタンフォーム等からなる弾力部材３２と、該弾力部材３２を被覆する表皮材３３が配設されている。従ってスライド部材３０は、全閉位置に臨んでいる状態(図１)において、前部座席を利用する乗員のアームレストとしての機能を具有する。但しスライド部材３０は、前述した部材本体３１だけで構成される場合もある。
【００１９】
部材本体３１における左右の各内側面には、図１〜図４に示すように、コンソールリッド２０の前後方向に延在するガイドレール３４,３４が延設されている。そして、これらガイドレール３４,３４は、ベース部材２１に形成された前述の左右のガイド溝２２,２２に対応的に摺動可能に挿通されている。従って、ガイドレール３４,３４が対応のガイド溝２２,２２に沿って摺動することで、スライド部材３０がベース部材２１に対して前後方向へスライド移動するよう構成される。
【００２０】
また、部材本体３１の前端部には、図１、図３および図４に示すように、陥凹部３５が設けられており、この陥凹部３５にはロック解除レバー３６が配設されている。このロック解除レバー３６は、部材本体３１に対して支軸３６Ａにより回動可能に配設され、前方へ延出した指掛部３６Ｂと、下方へ延出した係止部３６Ｃとを有している。この係止部３６Ｃは、コンソールリッド２０が全閉位置に臨んだ際に、コンソール本体１０のリッド載置面１４に設けた被係止部１６に突入係止されて、該コンソールリッド２０を全閉位置にロックするよう機能する。また係止部３６Ｃは、指掛部３６Ｂを上方へ引き上げてロック解除レバー３６を操作すると被係止部１６に対する係止が解除され、コンソールリッド２０の開放を許容するよう構成されている。
【００２１】
前述したスライド部材３０は、スライド機構４４により、ベース部材２１に対してスライド移動する。このスライド機構４４は、ベース部材２１の上面に回転自在に配設された平歯車状のピニオンギア４５と、スライド部材３０における部材本体３１の右側内側面に配設されて、該ピニオンギア４５に噛合したラックギア４６とから構成されている。ピニオンギア４５は、ベース部材２１の上面に垂直に立設された回転支持軸４７に枢支され、該ベース部材２１の上面で回転可能となっている。ラックギア４６は、部材本体３１の右側内側面において、コンソールリッド２０の前後方向(ガイドレール３４の長手方向)へ延在するように配設されている。従ってピニオンギア４５は、スライド部材３０がベース部材２１に沿ってスライド移動する際に、常にラックギア４６に噛合しながら回転するようになっている。換言すると、ピニオンギア４５を回転させることで、ベース部材２１に対してスライド部材３０をスライド移動させ得ると共に、該ピニオンギア４５を停止することで、ベース部材２１に対してスライド部材３０を停止保持させ得る。なお、ピニオンギア４５の下側には、後述する連係機構５０の回転体としての第２回転円盤(第２連係部材)５２が固定されており、これらピニオンギア４５と第２回転円盤５２とが一体的に回転するよう構成されている。
【００２２】
実施例のコンソールリッドの開閉構造では、図１〜図４に示すように、回動機構４０とスライド機構４４とを連係する連係機構５０を備えている。この連係機構５０は、回動機構４０に配設されて、コンソール本体１０に対するコンソールリッド２０の開放および閉成の各動作に連動する第１回転円盤(第１連係部材)５１と、スライド機構４４に配設されて、第１回転円盤５１の動作に連動する第２回転円盤(第２連係部材)５２と、第１回転円盤５１および第２回転円盤５２に連係された２本のワイヤ５５,５６とを備えている。そして、第１回転円盤５１および第２回転円盤５２と、第１ワイヤ５５および第２ワイヤ５６とからなる連係機構５０は、図５(ａ)に示すように、単一のユニット部材として構成される。なお、以下の説明において、２本のワイヤを第１ワイヤ５５および第２ワイヤ５６と指称して区別する。
【００２３】
第１ワイヤ５５および第２ワイヤ５６は、図１または図２等に示すように第１支持アーム２３に沿って配設されるフレキシブルチューブ５４に平行に挿通されており、該フレキシブルチューブ５４に対して挿通方向へのスライド移動が可能となっている。また、図５(ａ)に示すように、第１ワイヤ５５および第２ワイヤ５６の両端は、フレキシブルチューブ５４の両端から外方へ延出しており、フレキシブルチューブ５４の同じ端部から延出した両ワイヤ５５,５６の端部が、結合部材５７,５７により連結されている。また、フレキシブルチューブ５４の幅方向の中央(第１ワイヤ５５と第２ワイヤ５６との間)には、長さ方向の全長に亘って延在するワイヤ５８が沿設されており、当該フレキシブルチューブ５４は長さ方向への伸縮が規制されるようになっている。なお、第１ワイヤ５５および第２ワイヤ５６は、両ワイヤ５５,５６を合わせた長さに切断された１本のワイヤを準備して、該ワイヤの両端部を結合部材５７で連結すると共に、該ワイヤの中間部分を折曲して該折曲部分に結合部材５７を装着することで形成することも可能である。
【００２４】
第１回転円盤５１および第２回転円盤５２は、図５(ｂ)に示すように、基本的に同一形状に形成された円盤状部材であって、回転中心に所要径の挿通孔６０が形成されている。そして、第１回転円盤５１の挿通孔６０にリッド枢支軸４１が挿通されて、リッド枢支軸４１を中心として第１回転円盤５１が回転し得るよう構成されている。また、第２回転円盤５２の挿通孔６０には回転支持軸４７が挿通されており、該回転支持軸４７を中心として第２回転円盤５２が回転し得るようになっている。また、各回転円盤５１,５２の外周端縁には、第１ワイヤ５５および第２ワイヤ５６が巻き掛けられる外周係止溝６１が形成されている。更に、各回転円盤５１,５２における一方の端面には、外周係止溝６１から挿通孔６０の外側周囲に亘って延在する端面係止溝６２が形成されていると共に、該端面係止溝６２に連通する係止凹部６３が形成されている。そして、第１ワイヤ５５と第２ワイヤ５６とを連結した結合部材５７を、第１回転円盤５１および第２回転円盤５２の係止凹部６３に夫々嵌入すると共に両ワイヤ５５,５６を端面係止溝６２に沿って配設し、外周係止溝６１に沿って第１ワイヤ５５と第２ワイヤ５６とを反対方向に巻き掛けることで、両ワイヤ５５,５６に第１回転円盤５１および第２回転円盤５２が取り付けられる。なお、各結合部材５７が係止凹部６３に嵌入することで、第１ワイヤ５５および第２ワイヤ５６は、各回転円盤５１,５２に対して滑ることなく巻き掛けられる。
【００２５】
また、図２に示すように、リッド枢支軸４１およびベース部材２１には、取付ベース部材５３が固定されており、該取付ベース部材５３に、第１回転円盤５１および第２回転円盤５２を回転可能に収容し得る収容部５３Ａが形成されている。ここで、第１回転円盤５１および第２回転円盤５２を対応する取付ベース部材５３の収容部５３Ａに収容した状態では、収容部５３Ａを囲む縦壁部５３Ｂによりワイヤ５５,５６を巻き掛けた外周係止溝６１の開口が被覆されて、該外周係止溝６１に沿ってワイヤ５５,５６を延在させるよう構成されている。また、各取付ベース部材５３における収容部５３Ａを囲む縦壁部５３Ｂには、フレキシブルチューブ５４が連結される部分に、第１ワイヤ５５および第２ワイヤ５６を挿通する開口部５３Ｃが形成されている。
【００２６】
このような実施例の連係機構５０は、図５(ａ)に示すように、例えば図示左側の第１回転円盤５１を反時計方向(破線方向)へ回転させると、第２ワイヤ５６が図示左方向へ引っ張られるので、第２回転円盤５２が反時計方向へ従動回転する。また、両回転円盤５１,５２が反時計方向へ同期的に回転することで、第１ワイヤ５５が図示右方向へ移動する。一方、第１回転円盤５１を時計方向(実線方向)へ回転させると、第１ワイヤ５５が図示左方向へ引っ張られるので、第２回転円盤５２が時計方向へ従動回転する。また、両回転円盤５１,５２が時計方向へ同期的に回転することで、第２ワイヤ５６が図示右方向へ移動する。同様に、第２回転円盤５２を時計方向へ回転させると第１回転円盤５１も時計方向へ従動回転し、第２回転円盤５２を反時計方向へ回転させると第１回転円盤５１も反時計方向へ回転する。すなわち、実施例の連係機構５０は、並行する２本の第１ワイヤ５５および第２ワイヤ５６を備えているため、一方の回転円盤の正逆回転に対して他方の回転円盤も従動的に正逆回転するよう構成されている。しかも、フレキシブルチューブ５４が長さ方向へ伸縮せず、かつ第１ワイヤ５５および第２ワイヤ５６は、第１回転円盤５１および第２回転円盤５２の外周係止溝６１に沿ってしっかり巻き掛けられているため、第１ワイヤ５５および第２ワイヤ５６に遊びが発生することはなく、一方の回転円盤５１(５２)の回転に対して他方の回転円盤５２(５１)が確実に従動回転する。
【００２７】
前述のように構成された連係機構５０は、図１〜図４に示すように、第１回転円盤５１を回動機構４０に配設すると共に、第２回転円盤５２をスライド機構４４に配設して、回動機構４０とスライド機構４４とを連係するよう構成される。ここで、第１回転円盤５１は、インナー部材１２の後方支持部１５に固定されたリッド枢支軸４１を挿通孔６０に挿通させたもとで第１支持アーム２３の取付部２５に固定される。第１回転円盤５１を収容する取付ベース部材５３は、第１支持アーム２３(第１回転円盤５１)を回転可能に支持するリッド枢支軸４１に固定される。従って第１回転円盤５１は、コンソールリッド２０の開閉動作に伴ってリッド枢支軸４１を中心に第１支持アーム２３と一体的に回転し、リッド枢支軸４１に固定された取付ベース部材５３と第１回転円盤５１との相対位置が変化する。なお、取付ベース部材５３は、インナー部材１２における後方支持部１５の側面に固定するようにしてもよい。ここで、図１に示すように、コンソールリッド２０が全閉位置にある状態において、リッド枢支軸４１に固定された取付ベース部材５３は、第１ワイヤ５５および第２ワイヤ５６を挿通する開口部５３Ｃが該アーム２３の延在方向へ開口するよう設定される。また、第１回転円盤５１の端面係止溝６２と、リッド枢支軸４１に固定された取付ベース部材５３の開口部５３Ｃとがリッド枢支軸４１を挟んで対向すると共に、第２ワイヤ５６より第１ワイヤ５５の方が前側に位置するよう構成されている。従って、第１支持アーム２３(第１回転円盤５１)を図１,図６または図７の時計回りに回転させた場合には第２ワイヤ５６が引っ張られ、第１支持アーム２３(第１回転円盤５１)を図１,図６または図７の反時計回りに回転させた場合には第１ワイヤ５５が引っ張られるようになっている。
【００２８】
第２回転円盤５２は、ベース部材２１に設けた回転支持軸４７に挿通させたもとで、ピニオンギア４５の下側に固定される。また、第２回転円盤５２を収容する取付ベース部材５３は、ベース部材２１の上面に固定されている。すなわち、第２回転円盤５２は、ピニオンギア４５と一体的に回転して、ベース部材２１に固定された取付ベース部材５３との相対位置が変化する。ここで、図３に示すように、ベース部材２１に固定された取付ベース部材５３は、第１ワイヤ５５および第２ワイヤ５６を挿通する開口部５３Ｃが後方へ開口するよう形成される。また、コンソールリッド２０が全閉位置にある状態では、第２回転円盤５２の端面係止溝６２と、ベース部材２１に固定された取付ベース部材５３の開口部５３Ｃとが回転支持軸４７を挟んで対向するよう設定されている。また、第１ワイヤ５５が引っ張られた場合には、第２回転円盤５２が図３の反時計回りに回転されてベース部材２１に対してスライド部材３０が前方へ移動し、第２ワイヤ５６が引っ張られた場合には、第２回転円盤５２が図３の時計回りに回転されてベース部材２１に対してスライド部材３０が後方へ移動するようになっている。
【００２９】
一方、第１ワイヤ５５および第２ワイヤ５６が挿通されたフレキシブルチューブ５４は、図４に示すように、第１支持アーム２３の長手方向に沿って設けた配設溝２３Ｂに配設されると共に、ベース部材２１形成した挿通口２６を介して該ベース部材２１の上面側へ延出するよう構成される。また、第１支持アーム２３の配線溝２３Ｂは、フレキシブルチューブ５４より幅広に形成されて、該アーム２３の回転時に、リッド枢支軸４１に固定された取付ベース部材５３の開口部５３Ｃに対応してフレキシブルチューブ５４の端部が位置し得るようになっている。すなわち、コンソールリッド２０の開閉動作時に、第１回転円盤５１に巻き掛けられたワイヤ５５,５６が、取付ベース部材５３の開口部５３Ｃを介してフレキシブルチューブ５４に挿通移動し得るよう構成されている。また、配線溝２３Ｂの開口部は、第１支持アーム２３に取り付けられる図示しない蓋部材により閉成されて、コンソールリッド２０が全開位置に開放した際に、フレキシブルチューブ５４がフロアコンソールＦＣの外方へ露出しないようになっている。また、第１回転円盤５１および該第１回転円盤５１を組付けた取付ベース部材５３は、コンソール本体１０内に配設されるので、フロアコンソールＦＣの外方へ露出しない。更に、第２回転円盤５２および該第２回転円盤５２を組付けた取付ベース部材５３は、コンソールリッド２０内に配設されるので、フロアコンソールＦＣの外方へ露出しない。すなわち、連係機構５０の各構成部材は、コンソールリッド２０を全開位置に臨ませた場合でも、フロアコンソールＦＣの外方へ露出しないよう構成されている。
【００３０】
フロアコンソールＦＣに配設された連係機構５０は、コンソールリッド２０の開放動作時には、図６に示すように、回動機構４０における各支持アーム２３,２４がリッド枢支軸４１に対して後方側(図１において時計方向)へ回動し、第１支持アーム２３に固定された第１回転円盤５１も時計方向へ回転する。このとき、第１回転円盤５１を収容する取付ベース部材５３は回転しないから、該取付ベース部材５３における開口部５３Ｃと第１回転円盤５１との相対位置が変化する。すなわち、取付ベース部材５３内の第１回転円盤５１において、第１ワイヤ５５を巻き掛ける経路が短くなる一方で、第２ワイヤ５６を巻き掛ける経路が長くなる。ここで、第１ワイヤ５５および第２ワイヤ５６は、前記フレキシブルチューブ５４に挿通されているから、第１回転円盤５１から第２回転円盤５２に至る距離に変化はない。すなわち、コンソールリッド２０を開放動作すると、第２ワイヤ５６が第１回転円盤５１側に引っ張られ、第２回転円盤５２は図３において回転支持軸４７を中心として時計方向へ回転されて、ピニオンギア４５が図３において時計方向へ回転する。従って、実施例のコンソールリッドの開閉構造では、全閉位置に臨んでいるコンソールリッド２０を全開位置の方向へ回動させると、連係機構５０における第２回転円盤５２の回転により、スライド機構４４のピニオンギア４５が図３において時計方向へ回転するので、スライド部材３０は、ベース部材２１に対して図３の右方向、すなわちコンソール本体１０の後方側へスライド移動するよう構成される。そして、コンソールリッド２０が全開位置に臨んだ際には、図７に示すように、スライド部材３０がベース部材２１に対して後方側へ所要量(例えば１００ｍｍ程度)スライド移動する。
【００３１】
また連係機構５０は、コンソールリッド２０の閉成動作時には、回動機構４０における各支持アーム２３,２４がリッド枢支軸４１に対して前方側(図７において反時計方向)へ回動回動し、第１支持アーム２３に固定された第１回転円盤５１も反時計方向へ回転する。前述と同様に、第１回転円盤５１を収容する取付ベース部材５３は回転しないから、該取付ベース部材５３における開口部５３Ｃと第１回転円盤５１との相対位置が変化する。すなわち、取付ベース部材５３内の第１回転円盤５１において、第１ワイヤ５５を巻き掛ける経路が長くなる一方で、第２ワイヤ５６を巻き掛ける経路が短くなる。すなわち、コンソールリッド２０を閉成動作すると、第１ワイヤ５５が第１回転円盤５１側に引っ張られ、第２回転円盤５２は図３において回転支持軸４７を中心として反時計方向へ回転されて、ピニオンギア４５が図３において反時計方向へ回転する。従って、実施例のコンソールリッドの開閉構造では、全開位置に臨んでいるコンソールリッド２０を全閉位置の方向へ回動させると、連係機構５０における第２回転円盤５２の回転により、スライド機構４４のピニオンギア４５が図３において反時計方向へ回転するので、スライド部材３０は、ベース部材２１に対して図３の左方向、すなわちコンソール本体１０の前方側へスライド移動するよう構成される。
【００３２】
(実施例の作用)
実施例のコンソールリッドの開閉構造を備えたフロアコンソールＦＣは、コンソールリッド２０を全閉位置に臨ませると、図１に示すように、該コンソールリッド２０は、リッド載置面１４に載置されて物品収納部１３の上部開口部１３Ａを覆蓋する。また、ロック解除レバー３６の係止部３６Ｃが、コンソール本体１０の被係止部１６に係止され、コンソールリッド２０は全閉位置にロックされる。なお、コンソールリッド２０が全閉位置に臨んでいる場合は、ピニオンギア４５がラックギア４６の後端近傍部分に噛合している(図１、図３)。
【００３３】
コンソールリッド２０を開放する際には、ロック解除レバー３６の指掛部３６Ｂを上方へ引いて被係止部１６に対する係止部３６Ｃの係止を解除したもとで、スライド部材３０の前端部を後上方へ引き上げて、コンソールリッド２０を後方側へ回動させる。コンソールリッド２０の開放操作を開始すると、図６に示すように、第１支持アーム２３の回転に伴って第１回転円盤５１がリッド枢支軸４１を中心に回転し、該リッド枢支軸４１に固定された取付ベース部材５３の開口部５３Ｃとの相対位置が変化して、第２ワイヤ５６が引っ張られる。第２ワイヤ５６が引っ張られることで、ベース部材２１に枢支された第２回転円盤５２およびスライド機構４４におけるピニオンギア４５が前述のように回転する。従って、ピニオンギア４５に噛合しているラックギア４６が後方側へ移動し、スライド部材３０がベース部材２１に対して後方側へスライド移動する。すなわち、コンソールリッド２０の開放操作時には、スライド部材３０の後方側への回動と後方側へのスライド移動とが同時に発現されるので、該コンソールリッド２０は、１アクションで全閉位置から全開位置まで姿勢変位する。
【００３４】
コンソールリッド２０を閉成する際には、傾斜状態にあるスライド部材３０の上端部を前下方へ押し下げて、コンソールリッド２０を前方側へ回動させる。コンソールリッド２０の閉成操作を開始すると、第１支持アーム２３の回転に伴って第１回転円盤５１がリッド枢支軸４１を中心に開放時とは逆方向へ回転し、該リッド枢支軸４１に固定された取付ベース部材５３の開口部５３Ｃとの相対位置が変化して、第１ワイヤ５５が引っ張られる。第１ワイヤ５５が引っ張られることで、ベース部材２１に枢支された第２回転円盤５２およびスライド機構４４におけるピニオンギア４５が開放時とは逆方向へ回転する。従って、ピニオンギア４５に噛合しているラックギア４６が前方側へ移動し、スライド部材３０がベース部材２１に対して前方側へスライド移動する。すなわち、コンソールリッド２０の閉成操作時にも、スライド部材３０の前方側への回動と前方側へのスライド移動とが同時に発現されるため、該コンソールリッド２０は、１アクションで全開位置から全閉位置まで姿勢変位する。
【００３５】
従って、実施例のコンソールリッドの開閉構造によれば、次のような作用効果を奏する。先ず、回動機構４０とスライド機構４４とが連係機構５０により連係されているので、コンソールリッド２０の開放操作時には、ベース部材２１の回動と、該ベース部材２１に対するスライド部材３０のスライド移動とが連動して同時に発現されるため、１アクションの動作によりコンソールリッド２０の開放操作が円滑になされる。また、コンソールリッド２０の閉成操作時においても、ベース部材２１の回動と、該ベース部材２１に対するスライド部材３０のスライド移動とが連動して同時に発現されるので、１アクションの動作によりコンソールリッド２０の閉成操作が円滑になされる。また連係機構５０は、第１ワイヤ５５および第２ワイヤ５６と、第１回転円盤５１および第２回転円盤５２とからなるシンプルな構成で実現されるため、製造コストが嵩むことを防止できると共に重量増加が殆どない。
【００３６】
また、第１ワイヤ５５および第２ワイヤ５６が、第１支持アーム２３内に配設されると共に、第１回転円盤５１および第２回転円盤５２が、コンソール本体１０内およびコンソールリッド２０内に夫々配設されている。従って、連係機構５０の各構成部材がフロアコンソールＦＣの外部に露出しないので、コンソールリッド２０を全開位置に臨ませた際に見栄えが悪くなることもない。また、スライド機構４４は、互いに噛合するピニオンギア４５およびラックギア４６から構成されており、更にピニオンギア４５と一体的に回転する第２回転円盤５２は、第１ワイヤ５５および第２ワイヤ５６を介して連係された第１回転円盤５１と連動して回転するよう構成されている。すなわち、ピニオンギア４５の回転は、第１回転円盤５１が回転する場合にのみ許容される。従って、コンソールリッド２０の開閉動作により第１回転円盤５１が回転する場合には、ピニオンギア４５の回転によりスライド部材３０をベース部材２１に対して確実にスライド移動することができる一方で、コンソールリッド２０の開閉動作を停止した場合には、第１回転円盤５１の回転が停止することによりピニオンギア４５が回転規制され、該スライド部材３０をベース部材２１に対して確実に停止保持できる。これにより、全開位置に臨んだコンソールリッド２０が前上がりの傾斜状態となっていても、ベース部材２１に対してスライド部材３０を適切に保持し得る。
【００３７】
前述した実施例では、第２回転円盤５２をピニオンギア４５に固定すると共に、ベース部材２１に該第２回転円盤５２を回転自在に取り付けた取付ベース部材５３をベース部材２１に固定した構成としたが、両部材の取付態様は反対でもよい。すなわち、第２回転円盤５２をベース部材２１に固定すると共に、取付ベース部材５３をピニオンギア４５に固定するようにしてもよい。
【００３８】
また回動機構４０が、コンソール本体１０の上部後端部とベース部材２１の後端縁部とをリッド枢支軸４１で枢支させる形態の場合には、回動機構４０とスライド機構４４とが隣接して位置するようになるので、第１連係部材と第２連係部材とを直接連係させた形態を採用することも可能である。
【００３９】
前述した実施例では、コンソールリッド２０がコンソール本体１０の後方側へ開放する形態のフロアコンソールを例示したが、本願が対象とするフロアコンソールの開閉構造は、コンソールリッド２０がコンソール本体１０の前方側へ開放する形態のフロアコンソールや、コンソールリッド２０がコンソール本体１０の横方向(右側または左側)へ開放する形態のフロアコンソールも含まれる。
【産業上の利用可能性】
【００４０】
本発明に係るコンソールリッドの開閉構造は、コンソール本体の上部に配設され、前記コンソール本体に画成した物品収納部を開閉するよう構成したもので、車両乗員室内のフロアに設置されるフロアコンソール等に好適に実施可能である。
【図面の簡単な説明】
【００４１】
【図１】実施例に係るコンソールリッドの開閉構造を備えたフロアコンソールを、コンソールリッドを全閉位置に保持した状態で一部破断して示した部分側面図である。
【図２】図１のII−II線断面図である。
【図３】図１のIII−III線断面図である。
【図４】回動機構、スライド機構および連係機構を概略的に示した斜視図である。
【図５】(ａ)は、連係機構として採用されるワイヤ機構の構成を示した説明図であり、(ｂ)は、回転円盤の構成を示した斜視図である。
【図６】図１に示したフロアコンソールを、コンソールリッドの開放途中状態で一部破断して示した部分側面図である。
【図７】図１に示したフロアコンソールを、コンソールリッドが全開位置に到来した状態で一部破断して示した部分側面図である。
【符号の説明】
【００４２】
１０ コンソール本体，１３ 物品収納部，２１ ベース部材，２０ コンソールリッド
３０ スライド部材，４０ 回動機構，４４ スライド機構，４５ ピニオンギア
４６ ラックギア，５１ 第１回転円盤(第１連係部材)
５２ 第２回転円盤(第２連係部材)，５５ 第１ワイヤ，５６ 第２ワイヤ
【図１】
2008247338.tif 000003
【図２】
2008247338.tif 000004
【図３】
2008247338.tif 000005
【図４】
2008247338.tif 000006
【図５】
2008247338.tif 000007
【図６】
2008247338.tif 000008
【図７】
2008247338.tif 000009